(57)【要約】      （修正有）【課題】従来の風車は、風を直角に受けても  斜に押す力で回転していて効率悪かった。これを直角に押す様にする。【解決手段】羽枠４が風を受けて回転すると固定ドラム２の蛇行する溝をローラー３の付いた摺動バー７が移動し羽５を９０°縦横夫々回転させて、格子状→波状→板状に変化し、風力を最大限に受ける位置で板状になる様に溝をセッティングし、この力で発電機８を回すものである尚羽枠４は６０°間隔で６枚取付ける構造である。【選択図】図１
2005036783.tif 000002
【特許請求の範囲】
【請求項１】
図１において  羽枠４を  風の流れの方向に回転させる為に  羽枠４の中に  細長い羽５を  縦に複数並べて  両サイドに設けた  固定ドラム２に蛇行する溝をつけて  複数の羽５を  ローラー付摺動バークで左右に摺動させるこの動作で  羽枠４内の羽５を  格子状→波状→板状にと変化させる構造
【請求項２】
羽枠４の全体を支える  枠壁１０が  太陽熱の歪影響を相当受けるので  その対策として  熱歪吸収テーブル９  別案として  熱歪防止固定シャフト１３を考案したこの構造
【発明の詳細な説明】
【発明の詳細な説明】
（発明の属する技術分野）
【０００１】羽枠４が風を受けて回転すると  両側に設けた固定ドラム２の  溝に沿って  ローラー３の付いた  摺動バークが  設定した溝位置を移動すると  羽５が格子状から波状に変化し  次に板状に変化する  これを利用して  上部で最大トルクを得る様考案した風車である尚太陽熱による歪対策として  片方の枠壁１０に熱歪吸収テーブル９を  別案として  熱歪防止固定シャフト１３を考案した（従来の技術）
【０００２】従来の羽は  風を直角に受けても  羽自体が斜の為斜に当って通過する力しか得られず  効率悪かった（発明の実施の形態）
【０００３】羽枠４の回転を  発電機８に伝える方法としてフランジで直結するか  別案としてギヤーで伝達するかゞ考えられる．その他．風向制御部を設けたこと．逆転防止カム部．ブレーキ部．安全ピン部．等メンテナンス用として設けたことである（発明の効果）
【０００４】従来の風車の羽より短かくてよいこと  更に巾は広く出来ることにより  大きなトルクを得ることが出来る  また大型化しても  分解運搬が容易なこと極端な高空での工事が不要であること上部羽のみ利用するので背も低くなり基礎工事費も安くてすむこと
【図面の簡単な説明】
【図１】風車の正面図である
【図２】羽と摺動バーと  固定ドラムの拡大図である
【図３】羽と摺動バーと  固定ドラムの働きを説明する図である
【図４】羽枠の回転角度  セッティングを示した図である
【図５】太陽熱による  枠壁の歪防止の案を示した図である
【符号の説明】
１  風向制御部  ２  固定ドラム  ３  ローラー  ４  羽枠  ５  羽  ６  羽枠取付ドラム  ７  摺動バー  ８  発電機  ９  枠の熱歪吸収テーブル１０  枠１１  逆転防止カム部．ブレーキ部．安全ピン部．１２  避雷針１３  枠の熱歪防止用  固定シャフト
【図１】
2005036783.tif 000003
【図２】
2005036783.tif 000004
【図３】
2005036783.tif 000005
【図４】
2005036783.tif 000006
【図５】
2005036783.tif 000007
【手続補正書】
【提出日】平成15年9月8日(2003.9.8)
【手続補正１】
【補正対象書類名】明細書
【補正対象項目名】請求項
【補正方法】追加
【補正の内容】
【請求項３】
本願書で複数の羽５の角度を９０度変化させる方法についても請求項にしたい．すなわち複数の羽５に根元にＬ状の腕を付けてこれを２本の摺動バー上に１っ飛びに取付け更に向い合わせて設置する．これにより羽全体を板状→波状→格子状に変化させる構造
【請求項４】
複数の羽の角度を９０度変化させる複案として追加図６の如く歯車で角度を変える方である．すなわち摺動バー６に直線状歯体１１を取付けるそして歯車１２は１っ飛びに向い合う形でかつ．段違いに設置するこれにより羽枠全体を板状→波状→格子状に変化させることが出来る構造
こゝで歯車を段違いに設けるのは向い合う直線歯に重なり合わない様にする為である．尚直線歯１１は長尺になると焼入れ時に．必ずそり曲るので．短冊状にした．
【手続補正２】
【補正対象書類名】図面
【補正対象項目名】図６
【補正方法】追加
【補正の内容】
【図６】
2005036783.tif 000008
【手続補正書】
【提出日】平成15年12月10日(2003.12.10)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
図１において羽枠４を風の流れの方向に回転させる為に羽枠４の中に細長い羽５を縦に複数並べてこれを両サイドに設けた固定ドラム２に蛇行する溝をつけて複数の羽５をローラー付摺動バー７で左右に摺動させるこの動作で羽５を格子状→波状→板状にと変化させる構造
【請求項２】
風車全体を支える枠壁１０が太陽熱の歪影響を相当受けるのでその対策として熱歪吸収テーブル９を設けた別案として熱歪防止固定シャフト図５を考案したこれは風車の主軸をパイプ状にしてこのパイプ内に別の軸を通しこの軸の両端を枠壁１０に固定する、この構造
【請求項３】
複数の羽５の角度を９０°変化させる方法として羽５の根元にＬ状の腕を設けこれを摺動バー７上に１つ飛びに取付け更に向い合わせの形で設置するこれにより複数の羽全体を格子状→波状→板状に変化させる構造
【請求項４】
複数の羽５の角度を９０度変化させる複案として追加図６の如く歯車１２で角度を変える方法である、すなわち摺動バー７に直線状歯体１１を取付ける、そして歯車１２は１つ飛びに向い合う形でかつ段違いに設置するこれにより羽枠全体を格子状→波状→板状に変化させることが出来る構造こゝで歯車１２を段違いに設けるのは向い合う直線歯１１にそれぞれの歯車が重なり合わない様にする為である、尚直線歯１１は長尺になると焼入れ時に必ずそり曲るので短冊状にした。
【手続補正２】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
【発明の詳細な説明】
【技術分野】
【０００１】羽枠４が風を受けて回転すると両側に設けた固定ドラム２の溝に沿ってローラー３の付いた摺動バー７が設定した溝位置を移動すると羽５の列が格子状→波状→板状にと変化するこれを利用して上部で羽枠４を板状にして最大トルクを得る様考案した風車である。【０００２】こゝで羽５を９０度回転させる方法で追加案として図６の様に歯車方式を記したのはＬ状腕方式は摺動バーが左右に摺動する動作とＬ状腕が回転する時に摺動バー７の開き、閉じの動作も加わるので高速回転では歯車方式の方が有利であると考えた為である。【０００３】更に歯車方式では向い合う２本の摺動バー７を長方形状に一体化することで両端のローラー３も各１個ですむこと更に蛇行する溝も蛇行する壁で可能になるのである【０００４】こゝで強風による高速回転の防止策として蛇行する壁のカーブをコントロールして羽全体を格子状へ導くことで減速することが出来る【０００５】また太陽熱による歪対策として、片方の枠壁１０に熱歪吸収テーブルを設けた複案として熱歪防止用としてパイプ状の主軸を使って図５の様に中心に更に軸を通して両壁間の距離を固定する様考案した【０００６】その他各ベアリングは耐水、耐錆用を使用し防塵対策凍結対策の技術も必要になる
（従来の技術）【０００７】従来の風車は風を直角に受けても羽体が斜の為通過する風も斜に当る力しか得られずまた羽巾も狭い為風を受ける面積も小さくなり効率悪かった
（発明実施の形態）【０００８】風車の回転を発電機に伝える方法はギヤー方式が妥当と考える、その他風向制御部逆転防止カム部を設けたことまたメンテナンス用としてブレーキ部安全ピン部を設けたことである
（発明の効果）【０００９】従来の風車より羽が短かくてすむこと更に羽巾を広くすることが出来る結果的に風圧を受ける面積が大きくなりトルクも増大すること羽が短かくてすむ分運搬が容易なこと更に風車の上部のみでトルクを得る構造の為全体として背を低く設定出来るその為基礎工事費も安価になり極端な高空での工事も不要になること
【図面の簡単な説明】
【００１０】
【図１】風車の正面図である
【図２】羽と摺動バーと固定ドラムの斜視拡大部分図である
【図３】羽と摺動バーと固定ドラムの働きを説明する図である
【図４】羽角度セッティングの説明図と風車の側面図である
【図５】太陽熱による枠壁の歪防止の案を示した図である
【図６】歯車方式による羽を９０度回転させる説明分解図である
【符号の説明】
【００１１】  １  風向制御部
２  固定ドラム
３  ローラー
４  羽枠
５  羽
６  羽枠取付ドラム
７  摺動バー
８  発電機
９  熱歪吸収テーブル
１０  枠壁
１１  直線歯
１２  歯車
【手続補正書】
【提出日】平成16年1月19日(2004.1.19)
【手続補正１】
【補正対象書類名】図面
【補正対象項目名】図６
【補正方法】変更
【補正の内容】
【図６】
2005036783.tif 000009
【手続補正書】
【提出日】平成16年3月1日(2004.3.1)
【手続補正１】
【補正対象書類名】明細書
【補正対象項目名】全文
【補正方法】変更
【補正の内容】
【発明の詳細な説明】
【技術分野】
【０００１】羽枠１０が風を受けて回転すると両側に設けた固定ドラム１４の曲線壁に沿って  ローラーの付いた摺動棒２が  設定された曲線壁を移動すると蝶番型羽９が開閉し  鳥の羽の如く格子状→波状→板状にと変化するこれを利用して  上部で板状にして最大トルクを得る様に考案した風車であり風力発電である【０００２】こゝで蝶番型羽を開閉させる方法として図２の如く  ２段重ねの歯車を  直接歯を張りつけた棒で段違いにはさみ付けて  この棒２本を同方向に動かすと各歯車は逆方向に回る  これを利用したものである【０００３】また、台風や強風による羽の破損を守る為に減速機図３を設けたこと  これは歯数の異った２種類の歯車にネジを切ったシャフトを通し  このシャフトを同期モーターで伸縮させて  両側の固定ドラム１４の曲面壁を直面壁に導き回転を減速させるのである【０００４】更に屋外設備の為  太陽熱により必ず歪を生むその対策としてパイプ状の主軸に別の軸を通し  この軸で両側のドラム間の距離を固定することで歪を解決するのである【０００５】その他各ベアリングは耐水用  耐錆用を使用し防塵対策  防雪対策も必要になる  またメンテナンスの安全面で  ブレーキ部、安全ピン部  逆転防止カム部を設けたまた長尺の直線歯は焼入れ時にそり曲るので短冊状にした【０００６】発電機の励磁用電源  及び制御用動力の電源についての説明は省略するものとする（背景技術）【０００７】従来の風車は  風を直角に受けても羽体が斜の為  斜に当たる応力しか得られず  効率悪かった（特許文献１）【０００８】関西特許情報センターにて昭和６０年→平成１５年迄の公報にてＦ０−３Ｄ部門を閲覧したことまた１部をコピー入手したこと（非特許文献１）【０００９】パワー社  小型風車ハンドブック  牛山泉  三野正洋著2005036783.tif 000010
パワー社  風力発電入門  清水幸丸著（発明の開示）（発明が解決しようとする課題）【００１０】地球温暖化対策としての新エネルギー創出の為に必要であるが  風力は安定した連続性に乏しい為これを解決しなければならない（課題を解決する為の手段）【００１１】蓄電池に充電する方法が考えられる  または岩場の小さい谷にダムを築き  揚水用として風車を利用し水力発電で  安定した連続運転発電が考えられる（発明の効果）【００１２】従来の風車より  羽を短く設定出来ること  また風圧を受ける面積を大きく出来る為  トルクも増大すること羽が短い為  山上等への運搬が容易なこと  更に本体の上部のみで風圧を利用する為  背が低くてすむこと  その為基礎工事費も節約出来ること．極端な高空での取付工事も不要になること（発明を実施する為の最良の形態）【００１３】周囲の景観に配慮し色は縁を選ぶべきであるクッション等を多く使用して  騒音対策を充分行う必要がある（実施例）（産業上の利用可能性）【１０１４】風力型揚水発電を利用すれば  発展途上国や辺地への電力供給が容易になること．また電力が製造費の８−９割をしめるセメント製練も  鉱山で自前発電出来れば安いセメントを供給出来ると考えられる
【図面の簡単な説明】
【００１５】
【図１】風力発電機の正面図である
【図２】ローラー付摺動棒と二段歯車の関係説明図である
【図３】減速装置の説明図である
【図４】風車の羽の開閉位置の説明図である
【符号の説明】
【１０１６】（１）  避雷針（２）  ローラー付摺動棒（３）  風向制御部（４）  ローラ壁曲面制御部（５）  ブレーキ部  安全ピン部  逆転防止カム部（６）  主軸受壁（７）  蝶番軸固定棒及羽開き当り棒．（８）  蝶番型羽用軸（９）  蝶番型羽（１０）  羽枠（１１）  主軸（１２）  熱歪防止軸（１３）  発電機（１４）  固定ドラム（１５）  隣枠接合面（１６）  防雨カバー（１７）  風向制御モーター（１８）  二段重ね歯車
【手続補正２】
【補正対象書類名】特許請求の範囲
【補正対象項目名】全文
【補正方法】変更
【補正の内容】
【特許請求の範囲】
【請求項１】
横風にも強い細長の蝶番型羽を横に多く並べた構造をもつ歯車
【請求項２】
蝶番型羽を開閉させる方法として  ２段重ねの歯車を直線歯を張りつけた２本の棒で段違いにはさみこの２本を同方向に動かすと各歯車は逆方向に回るこれを利用した羽の構造
【請求項３】
台風や強風で羽の破損を防ぐ方法として  歯数の異った２種類の歯車にネジを切ったボルトを通し  回転計からの指示で同期モーターを回し  このボルトを動かして  曲面壁を直面壁へと導く構造
【請求項４】
太陽熱による熱歪防止策として図１の１１．１２の様に２重シャフトで両側ドラム間の距離を固定する構造
【手続補正３】
【補正対象書類名】図面
【補正対象項目名】全図
【補正方法】変更
【補正の内容】
【図１】
2005036783.tif 000011
【図２】
2005036783.tif 000012
【図３】
2005036783.tif 000013
【図４】
2005036783.tif 000014
【手続補正書】
【提出日】平成16年4月9日(2004.4.9)
【手続補正１】
【補正対象書類名】図面
【補正対象項目名】図２
【補正方法】変更
【補正の内容】
【図２】
2005036783.tif 000015
【手続補正１】
【補正対象書類名】図面
【補正対象項目名】図３
【補正方法】変更
【補正の内容】
【図３】
2005036783.tif 000016